(57)【要約】【課題】  組立作業者が紙間調整の際に、コードホイールやＬＦギアをキズ、打痕等をつけること防ぐことができ、かつ、従来から追加部品のない安価な構成で、かつ、シャーシに余分な穴等を構成せずに、ガイドシャフトの左右の抜け止めが構成された記録装置を提供する。【解決手段】  記録装置の骨格をなるシャーシと、被記録媒体に記録を行う記録ヘッドを搭載し、往復走査するキャリッジの移動を案内するガイドシャフトと、前記ガイドシャフトの両端で前記ガイドシャフトを付勢するシャフト付勢ばねを備えた記録装置において、前記ガイドシャフトは一方の端部に貫通穴を備え、前記貫通穴に前記シャフト付勢ばねの先端を通して配置し、前記ガイドシャフトを付勢することを特徴とする。【選択図】  図５
2007152734.tif 000002
【特許請求の範囲】
【請求項１】
記録装置の骨格をなるシャーシと、被記録媒体に記録を行う記録ヘッドを搭載し、往復走査するキャリッジの移動を案内するガイドシャフトと、前記ガイドシャフトの両端で前記ガイドシャフトを付勢するシャフト付勢ばねを備えた記録装置において、
前記ガイドシャフトは一方の端部に貫通穴を備え、前記貫通穴に前記シャフト付勢ばねの先端を通して配置し、前記ガイドシャフトを付勢することを特徴とする記録装置。
【請求項２】
請求項１に記載の記録装置において、前記ガイドシャフトの両端部には、前記ガイドシャフトの高さ位置の微調整を行うギャップ調整部材を備えていることを特徴とする記録装置。
【請求項３】
請求項２に記載の記録装置において、前記ガイドシャフトの前記貫通穴を備えた端部の他方の端部には、溝部と、前記貫通穴と角度をなし、二方取りされシャーシに対する抜け止めとなるつば部と、を備え、前記ガイドシャフトの前記つば部のある方の端部側の前記ギャップ調整部材と、前記シャフト付勢ばねの前記ガイドシャフトへの当接部は、前記シャーシの内側に配置されていることを特徴とする記録装置。
【請求項４】
請求項３に記載の記録装置において、前記貫通穴と前記二方取りされたつば部のなす角度は４５度であることを特徴とする記録装置。
【発明の詳細な説明】
【技術分野】
【０００１】
本発明は、記録ヘッドによって被記録媒体に記録を行う記録装置に関するもので、特に、往復走査するキャリッジの移動を案内するガイドシャフトを備えた記録装置に関するものである。
【背景技術】
【０００２】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて用紙やプラスチック薄板等の被記録材（被記録媒体）に画像を記録していくような構成を有している。このような記録装置は、記録方式によってインクジェット式、ワイヤドット式、サーマル式、レーザービーム式等に分けることができる。
【０００３】
被記録材の搬送方向（副走査方向）と交差する方向に主走査するシリアルスキャン方式を採るシリアルタイプの記録装置においては、被記録材に沿って移動するキャリッジ上に搭載した記録手段によって画像が記録され、１行分の記録を終了した後に所定量の紙送り（ピッチ搬送）が行なわれるという動作を繰り返して、被記録材の全体に記録が行われる。一方、被記録材の搬送方向の副走査のみで記録するラインタイプの記録装置においては、被記録材を所定の記録位置にセットし、一括して１行分の記録を行った後、所定量の紙送り（ピッチ送り）を行い、さらに、次の行の記録を一括して行うという動作を繰り返すことによって、被記録材の全体に記録が行われる。
【０００４】
上記の記録装置のうち、シリアルスキャン方式を用いたインクジェット式の記録装置（インクジェット記録装置）は、記録手段（記録ヘッド）から被記録材にインクを吐出して記録を行うものであり、記録手段のコンパクト化が容易であり、高精細な画像を高速で記録することができ、特別の処理を施さない普通紙に記録することができ、ランニングコストが低く、ノンインパクト方式であるため騒音が少なく、しかも多色のインクを使用してカラー画像を記録するのが容易であるなどの利点を有している。
【０００５】
特に、熱エネルギーを利用してインクを吐出するインクジェット式の記録手段（記録ヘッド）は、エッチング、蒸着、スパッタリング等の半導体製造プロセスを経て基板上に成膜された電気熱変換体、電極、液路壁、天板等を形成することにより、高密度の液路配置（吐出口配置）を有するものを容易に製造することができ、一層のコンパクト化を図ることができる。
【０００６】
上記のインクジェット記録装置において、鮮明で高品位な記録結果を得るためには、シリアルスキャンの際にキャリッジの挙動を安定させることが非常に重要である。
【０００７】
また、近年のインクジェット記録装置の往復走査するキャリッジの移動を案内するガイドシャフトの保持固定方法としては、特開２００４−４２３４６や、特開２００４−４２３８２に記載の記録装置のように、ガイドシャフトの高さ位置の微調整をするための紙間調整板と、ガイドシャフトを付勢するガイドシャフトばねを記録装置のシャーシの外側の両端に配置して、ガイドシャフトを保持固定する記録装置がある。
【特許文献１】特開２００４−４３２４６号公報
【特許文献２】特開２００４−４２３８２号公報
【発明の開示】
【発明が解決しようとする課題】
【０００８】
しかしながら、近年、インクジェット記録装置においては、高画質化、静音化を実現するため、搬送ローラには１級ギアであるＬＦギア、そして１５０〜３６０ＬＰＩピッチでスリットがマーキングされたコードホイールを配置して、コードホイールのスリットをエンコーダセンサで読み取り、搬送ローラの駆動手段であるＤＣモータのサーボ制御を行っている。
【０００９】
ここで、従来のように、特開２００４−４２３４６や、特開２００４−４２３８２に記載の記録装置のような、ガイドシャフトの固定方法を行おうすると、ＬＦギアとコードホイールの近傍に紙間調整板とガイドシャフトばねがあり、組立作業者がガイドシャフトの高さ位置を微調整するため紙間調整板を操作する際に作業者が誤って、コードホイールやＬＦギアをキズ、打痕等をつけてしまうという問題がある。
【００１０】
そこで本発明は、組立作業者が紙間調整の際に、コードホイールやＬＦギアをキズ、打痕等をつけること防ぐことができ、かつ、従来から追加部品のない安価な構成で、かつ、シャーシに余分な穴等を構成せずに、ガイドシャフトの左右の抜け止めが構成された記録装置を提供することを目的とする。
【課題を解決するための手段】
【００１１】
上記目的を達成するための第１の発明は、記録装置の骨格をなるシャーシと、被記録媒体に記録を行う記録ヘッドを搭載し、往復走査するキャリッジの移動を案内するガイドシャフトと、前記ガイドシャフトの両端で前記ガイドシャフトを付勢するシャフト付勢ばねを備えた記録装置において、前記ガイドシャフトは一方の端部に貫通穴を備え、前記貫通穴に前記シャフト付勢ばねの先端を通して配置し、前記ガイドシャフトを付勢することを特徴とする。
【００１２】
第２の発明は、第１の発明の構成において、前記ガイドシャフトの両端部には、前記ガイドシャフトの高さ位置の微調整を行うギャップ調整部材を備えていることを特徴とする。
【００１３】
第３の発明は、第２の発明の構成において、前記ガイドシャフトの前記貫通穴を備えた端部の他方の端部には、溝部と、前記貫通穴と所定の角度をなし、二方取りされシャーシに対する抜け止めとなるつば部と、を備え、前記ガイドシャフトの前記つば部のある方の端部側の前記ギャップ調整部材と、前記シャフト付勢ばねの前記ガイドシャフトへの当接部は、前記シャーシの内側に配置されていることを特徴とする。
【００１４】
第４の発明は、第３の発明の構成において、前記貫通穴と前記二方取りされたつば部のなす角度は４５度であることを特徴とする。
【００１５】
以上、本発明の構成をとることによって、コードホイール、ＬＦギアがあるガイドシャフト左側端部は、紙間調整板ＬとガイドシャフトばねＬをシャーシの内側に配置できたので、ガイドシャフトの高さ位置を微調整するため紙間調整板Ｌを操作する際に作業者が誤って、コードホイール７やＬＦギアをキズ、打痕等をつけること防ぐことができ、かつ、ガイドシャフトばねＲを貫通穴に通して配置し、ガイドシャフトの組込時の位相を決めることで、つば部が確実にシャーシの長穴にかかるようにするという、従来から追加部品のない安価な構成で、シャーシに余分な穴等を構成せずに、ガイドシャフトの左右の抜け止めを構成できている。
【発明の効果】
【００１６】
以上説明したように、記録装置の骨格をなるシャーシと、被記録媒体に記録を行う記録ヘッドを搭載し、往復走査するキャリッジの移動を案内するガイドシャフトと、前記ガイドシャフトの両端で前記ガイドシャフトを付勢するシャフト付勢ばねを備えた記録装置において、前記ガイドシャフトは一方の端部に貫通穴を備え、前記貫通穴に前記シャフト付勢ばねの先端を通して配置し、前記ガイドシャフトを付勢する構成とし、加えて、前記ガイドシャフトの両端部には、前記ガイドシャフトの高さ位置の微調整を行うギャップ調整部材を備えて、さらに、前記ガイドシャフトの前記貫通穴を備えた端部の他方の端部には、溝部と、前記貫通穴と所定の角度をなし、二方取りされシャーシに対する抜け止めとなるつば部と、を備え、前記ガイドシャフトの前記つば部のある方の端部側の前記ギャップ調整部材と、前記シャフト付勢ばねの前記ガイドシャフトへの当接部は、前記シャーシの内側に配置されている構成とすることによって、コードホイール、ＬＦギアがあるガイドシャフト左側端部は、紙間調整板ＬとガイドシャフトばねＬをシャーシの内側に配置できたので、ガイドシャフトの高さ位置を微調整するため紙間調整板Ｌを操作する際に作業者が誤って、コードホイール７やＬＦギアをキズ、打痕等をつけること防ぐことができ、かつ、ガイドシャフトばねＲを貫通穴に通して配置し、ガイドシャフトの組込時の位相を決めることで、つば部が確実にシャーシの長穴にかかるようにするという、従来から追加部品のない安価な構成で、シャーシに余分な穴等を構成せずに、ガイドシャフトの左右の抜け止めを構成できている。
【発明を実施するための最良の形態】
【００１７】
（第１の実施形態）
以下、本発明の実施の形態について図面を参照して説明する。
【００１８】
図１は、本発明の一実施形態のインクジェット記録装置の内部構造を示す斜視図である。外装や本発明に直接関わらない部分については図示省略してある。
【００１９】
本実施形態の記録装置の全体構成について簡単に説明すると、記録シート（記録媒体）を１枚ずつ装置本体内部へ給送する自動給紙部１００と、自動給紙部１００から送出される記録シートを所望の記録位置へと導き、その後この記録位置から排出する搬送部（記録媒体搬送手段）２００と、搬送部２００の下流に位置する排出部３００と、搬送部２００によって記録位置に搬送された記録シートに所望の記録を行うインクジェット記録ヘッドを含むキャリッジ４００と、キャリッジ４００のインクジェット記録ヘッド等に対する回復処理を行う回復部５００が、シャーシ６等に取り付けられて、適宜連動するようになっている。
【００２０】
次に本実施例のガイドシャフトの保持構成について説明する。
【００２１】
図２は本発明のガイドシャフトを説明した図である。ガイドシャフト１はその一端部に貫通穴１ａを、他端部には貫通穴１ａと４５度の角度をなす二方取りされたつば部１ｃと、ガイドシャフト１の外径から一段細くなった溝部１ｂを備えている。
【００２２】
図３はガイドシャフト左側端部をシャーシ外側から見た図、図４はガイドシャフト左側端部をシャーシ内側から見た図、図５はガイドシャフト右側端部をシャーシ外側から見た図である。
【００２３】
図３、４において、紙間調整板Ｌ ２はシャーシ７の内側に配置され、ガイドシャフト１の溝部１ｂは紙間調整板Ｌ ２に当接し、かつ、溝部１ｂにはガイドシャフトばねＬ ４が当接し、ガイドシャフト１を付勢している。
【００２４】
このとき、図５に示すように、ガイドシャフトの左側端部の貫通穴１ａにガイドシャフトばねＲ５の先端を通して配置すると、ガイドシャフト７に左側端部は図３に示すように、ガイドシャフト１のつば部１ｃがシャーシ６の長穴６ａにかかるような配置となり、つまり、つば部１ｃがガイドシャフト１を右側への抜け止めとなり、溝部１ｂとガイドシャフトばねＬ４がガイドシャフト１の左側への抜け止めとなっている。
【００２５】
以上、本発明の構成をとることによって、コードホイール７、ＬＦギア(不図示)があるガイドシャフト左側端部は、紙間調整板Ｌ２とガイドシャフトばねＬ４をシャーシ６の内側に配置できたので、ガイドシャフト１の高さ位置を微調整するため紙間調整板Ｌ２を操作する際に作業者が誤って、コードホイール７やＬＦギアをキズ、打痕等をつけること防ぐことができ、かつ、ガイドシャフトばねＲ５を貫通穴１ａに通して配置し、ガイドシャフト１の組込時の位相を決めることで、つば部１ｃが確実にシャーシ６の長穴６ａにかかるようにするという、従来から追加部品のない安価な構成で、シャーシ６に余分な穴等を構成せずに、ガイドシャフト１の左右の抜け止めを構成できている。
【図面の簡単な説明】
【００２６】
【図１】本発明の実施形態の記録装置の内部構造を示す斜視図である。
【図２】本発明の実施形態の記録装置のガイドシャフトを説明した図である。
【図３】本発明の実施形態のガイドシャフト左側端部をシャーシ外側から見た斜視図である。
【図４】本発明の実施形態のガイドシャフト左側端部をシャーシ内側から見た斜視図である。
【図５】本発明の実施形態のガイドシャフト右側端部をシャーシ外側から見た斜視図である。
【符号の説明】
【００２７】
１  ガイドシャフト
１ａ  貫通穴
１ｂ  溝部
１ｃ  つば部
２  紙間調整板Ｌ
３  紙間調整板Ｒ
４  ガイドシャフトばねＬ
５  ガイドシャフトばねＲ
６  シャーシ
６ａ  長穴
７  コードホイール
８  ＬＦローラ
９  ピンチローラ
１００  自動給紙部
２００  搬送部（記録媒体搬送手段）
３００  排出部
４００  キャリッジ
５００  回復系
【図１】
2007152734.tif 000003
【図２】
2007152734.tif 000004
【図３】
2007152734.tif 000005
【図４】
2007152734.tif 000006
【図５】
2007152734.tif 000007